(57)【要約】【課題】非使用時に摩擦部が汚れることを防止できる熱変色性筆記具を提供する。【解決手段】熱変色性筆記具１は、熱変色性インキの筆跡を摩擦しその際に生じる摩擦熱で該筆跡を熱変色可能な低摩耗性の弾性材料からなる摩擦部３１を備え、且つ、内部に熱変色性インキが収容される。本体２の前記摩擦部３１の近傍に保護部材４を設ける。保護部材４が、軸方向に移動可能に設けられるとともに弾発体５により軸方向前方に常時付勢される。摩擦部３１の非使用時、保護部材４の頂部が前記摩擦部３１の頂部よりも軸方向前方に突出される。摩擦部３１の使用時、被筆記面６と保護部材４の頂部との接触により、保護部材４が軸方向後方に移動される。【選択図】  図１
2014193572.tif 000002
【特許請求の範囲】
【請求項１】
筒状の本体の端部に、熱変色性インキの筆跡を摩擦しその際に生じる摩擦熱で該筆跡を熱変色可能な低摩耗性の弾性材料からなる摩擦部を備え、且つ、内部に熱変色性インキを収容した熱変色性筆記具であって、前記本体の前記摩擦部の近傍に保護部材を設け、前記保護部材が、軸方向に移動可能に設けられるとともに弾発体により軸方向前方に常時付勢され、前記摩擦部の非使用時、前記保護部材の頂部が前記摩擦部の頂部よりも軸方向前方に突出し、前記摩擦部の使用時、被筆記面と前記保護部材の頂部との接触により、前記保護部材が軸方向後方に移動してなることを特徴とする熱変色性筆記具。
【請求項２】
前記摩擦部に軸方向前方に開口する出没孔が設けられ、前記摩擦部の非使用時、前記出没孔から軸方向前方に前記保護部材の頂部が突出し、前記摩擦部の使用時、前記出没孔内に前記保護部材の頂部が没入してなる請求項１記載の熱変色性筆記具。
【請求項３】
前記保護部材が、前記出没孔内を摺動し且つ該出没孔より前方に頂部が突出するロッド部と、該ロッド部の後端部外面より径方向外方に突出する凸部とを備え、前記出没孔の後方に該出没孔より大きい内径を有する収容孔を連設し、前記出没孔と前記収容孔との間に段部を形成し、前記収容孔内に前記弾発体及び前記凸部が収容され、前記摩擦部の非使用時、前記段部に前記保護部材の凸部が係止される請求項２記載の熱変色性筆記具。
【請求項４】
前記保護部材の頂部が凸曲面状である請求項１、２または３記載の熱変色性筆記具。
【発明の詳細な説明】
【技術分野】
【０００１】
本発明は、筒状の本体の端部に、熱変色性インキの筆跡を摩擦しその際に生じる摩擦熱で該筆跡を熱変色可能な低摩耗性の弾性材料からなる摩擦部を備え、且つ、内部に熱変色性インキを収容した熱変色性筆記具に関する。
【背景技術】
【０００２】
従来、熱変色性筆記具において、軸胴の後端やキャップの頂部に摩擦体を設ける構成が開示されている。（例えば、特許文献１）。
【先行技術文献】
【特許文献】
【０００３】
【特許文献１】特開平２００７−２２３３０２号公報
【発明の概要】
【発明が解決しようとする課題】
【０００４】
前記特許文献１の熱変色性筆記具は、非使用時、ペンケース、ペン立て、または衣服のポケット等に収納して保管すると、摩擦部が常に外部に露出しているため、摩擦部が、他の物品（例えば、他の筆記具外面、ペンケースの内面、ペン立ての底面、または衣服のポケット内面等）に接触することにより、摩擦部表面に塵や埃が付着し、摩擦部表面が汚れることがあり、その汚れた状態の摩擦部を用いて紙面（被筆記面）を摩擦すると、紙面が汚れてしまう不具合があった。
【０００５】
本発明は前記従来の問題点を解決するものであって、非使用時に摩擦部が汚れることを防止できる熱変色性筆記具を提供しようとするものである。
【０００６】
尚、本発明において、「前」とは摩擦部側を指し、「後」とはその反対側を指す。
【課題を解決するための手段】
【０００７】
本願の第１の発明は、筒状の本体２の端部に、熱変色性インキの筆跡を摩擦しその際に生じる摩擦熱で該筆跡を熱変色可能な低摩耗性の弾性材料からなる摩擦部３１を備え、且つ、内部に熱変色性インキを収容した熱変色性筆記具であって、前記本体２の前記摩擦部３１の近傍に保護部材４を設け、前記保護部材４が、軸方向に移動可能に設けられるとともに弾発体５により軸方向前方に常時付勢され、前記摩擦部３１の非使用時、前記保護部材４の頂部が前記摩擦部３１の頂部よりも軸方向前方に突出し、前記摩擦部３１の使用時、被筆記面６と前記保護部材４の頂部との接触により、前記保護部材４が軸方向後方に移動してなることを要件とする。
【０００８】
前記第１の発明の熱変色性筆記具１は、前記本体２の前記摩擦部３１の近傍に保護部材４を設け、前記保護部材４が、軸方向に移動可能に設けられるとともに弾発体５により軸方向前方に常時付勢され、前記摩擦部３１の非使用時、前記保護部材４の頂部が前記摩擦部３１の頂部よりも軸方向前方に突出し、前記摩擦部３１の使用時、被筆記面６と前記保護部材４の頂部との接触により、前記保護部材４が軸方向後方に移動してなることにより、非使用時、ペンケース、ペン立て、または衣服のポケット等に収納して保管しても、保護部材４により摩擦部３１が、他の物品（例えば、他の筆記具外面、ペンケースの内面、ペン立ての底面、または衣服のポケット内面等）に接触することが回避され、非使用時に摩擦部３１が汚れることを防止できる。尚、本発明で筒状の本体２とは、例えば、一端にペン先を備え且つ内部に熱変色性インキを収容した軸筒、または該軸筒のペン先側に着脱自在に装着されるキャップ等が挙げられる。本発明で、前記保護部材４は、少なくとも前記摩擦部３１の近傍に配置されればよく、摩擦部３１の形状及び保護部材４の形状は何れであってよい。
【０００９】
本願の第２の発明は、前記第１の発明の熱変色性筆記具１において、前記摩擦部３１に軸方向前方に開口する出没孔３２が設けられ、前記摩擦部３１の非使用時、前記出没孔３２から軸方向前方に前記保護部材４の頂部が突出し、前記摩擦部３１の使用時、前記出没孔３２内に前記保護部材４の頂部が没入してなることを要件とする。
【００１０】
前記第２の発明の熱変色性筆記具１は、前記摩擦部３１に軸方向前方に開口する出没孔３２が設けられ、前記摩擦部３１の非使用時、前記出没孔３２から軸方向前方に前記保護部材４の頂部が突出し、前記摩擦部３１の使用時、前記出没孔３２内に前記保護部材４の頂部が没入してなることにより、摩擦部３１近傍の保護部材４を容易に設けることができる。尚、前記出没孔３２は、少なくとも軸方向前方に開口されていればよく、切り欠き状に径方向外方にも開口してもよい。
【００１１】
本願の第３の発明は、前記第２の発明の熱変色性筆記具１において、前記保護部材４が、前記出没孔３２内を摺動し且つ該出没孔３２より前方に頂部が突出するロッド部４１と、該ロッド部４１の後端部外面より径方向外方に突出する凸部４２とを備え、前記出没孔３２の後方に該出没孔３２より大きい内径を有する収容孔３２を連設し、前記出没孔３２と前記収容孔３２との間に段部３４を形成し、前記収容孔３２内に前記弾発体５及び前記凸部４２が収容され、前記摩擦部３１の非使用時、前記段部３４に前記保護部材４の凸部４２が係止されることを要件とする。
【００１２】
前記第３の発明の熱変色性筆記具１は、前記保護部材４が、前記出没孔３２内を摺動し且つ該出没孔３２より前方に頂部が突出するロッド部４１と、該ロッド部４１の後端部外面より径方向外方に突出する凸部４２とを備え、前記出没孔３２の後方に該出没孔３２より大きい内径を有する収容孔３２を連設し、前記出没孔３２と前記収容孔３２との間に段部３４を形成し、前記収容孔３２内に前記弾発体５及び前記凸部４２が収容され、前記摩擦部３１の非使用時、前記段部３４に前記保護部材４の凸部４２が係止されることにより、保護部材４及び弾発体５を筒体の摩擦部３１側の端部に適正に配置することができる。
【００１３】
本願の第４の発明は、前記第１、第２または第３の発明の熱変色性筆記具１において、前記保護部材４の頂部が凸曲面状であることを要件とする。
【００１４】
前記第４の発明の熱変色性筆記具１は、前記保護部材４の頂部が凸曲面状（例えば半球面状）であることにより、摩擦部３１使用時、被筆記面６上をあらゆる方向に円滑に摺動させることができる。
【００１５】
本発明において、前記摩擦部３１を構成する弾性材料は、弾性を有する合成樹脂（ゴム、エラストマー）が好ましく、例えば、シリコーン樹脂、ＳＢＳ樹脂（スチレン−ブタジエン−スチレン共重合体）、ＳＥＢＳ樹脂（スチレン−エチレン−ブチレン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦部３１を構成する弾性を有する合成樹脂は、高摩耗性の弾性材料（例えば、消しゴム等）ではなく、摩擦時に摩耗カス（消しカス）が殆ど生じない低摩耗性の弾性材料である。本発明において、前記保護部材４は、合成樹脂（例えば、ポリカーボネイト、ポリエチレン、ポリプロピレン、ポリアセタール、ＡＢＳ樹脂等）または金属から構成されることが好ましい。また、前記本体２は、合成樹脂（例えば、ポリカーボネイト、ポリエチレン、ポリプロピレン、ポリアセタール、ＡＢＳ樹脂等）または金属から構成されることが好ましい。
【発明の効果】
【００１６】
本発明の熱変色性筆記具は、非使用時に摩擦部が汚れることを防止できる。
【図面の簡単な説明】
【００１７】
【図１】本発明の実施の形態の摩擦部非使用時の要部縦断面図である。
【図２】本発明の実施の形態の摩擦部使用時の要部縦断面図である。
【発明を実施するための形態】
【００１８】
図１及び図２の本発明の実施の形態の熱変色性筆記具を示す。
【００１９】
・摩擦部材
筒状の本体２の一端に、低摩耗性の弾性材料（例えば、シリコーン樹脂、ＳＢＳ樹脂、ＳＥＢＳ樹脂）からなる摩擦部材３が固着される。前記摩擦部材３の頂部または頂部周縁には、凸曲面状の摩擦部３１が形成される。前記摩擦部材３は、その内部に、前方に開口する小径の出没孔３２と、該出没孔３２の後端より後方に連設される大径の収容孔３２と、該出没孔３２と収容孔３２との間に形成される段部３４とを備える。
【００２０】
・保護部材
前記摩擦部材３の内部に、軸方向に移動可能に保護部材４が設けられる。前記保護部材４が、ロッド部４１と、該ロッド部４１の後端部外面より径方向外方に突出する鍔状の凸部４２とを備える。前記ロッド部４１が、出没孔３２内を軸方向に摺動可能であり、前記凸部４２が、前記収容孔３２内に軸方向に摺動可能に収容される。前記保護部材４は、合成樹脂または金属により形成される。前記ロッド部４１の頂部が、凸曲面状（Ｒ曲面状）に形成される。
【００２１】
・弾発体
前記保護部材４は、弾発体５（例えば圧縮コイルスプリング、ゴムやスポンジ等の弾性体）により常時、前方に弾発付勢される。前記弾発体５は、前記収容孔３２内に配置される。前記弾発体５の前端が保護部材４の後面に当接され、前記弾発体５の後端が本体２の前面に当接される。前記弾発体５の保護部材４を前方に付勢する弾発荷重は、少なくとも、熱変色性筆記具１全体の重量よりも高く設定される。
【００２２】
・本体
前記本体２は、円筒体であり、合成樹脂または金属により形成される。前記本体２は、例えば、内部に熱変色性インキが収容され且つ該熱変色性インキが吐出可能なペン先を一端に備えた軸筒、または、前記軸筒のペン先側に着脱自在のキャップが挙げられる。前記本体２が軸筒の場合、軸筒の反ペン先側の端部に摩擦部３１が設けられる。前記本体２がキャップの場合、キャップの閉鎖側端部に摩擦部３１が設けられる。
【００２３】
・作用
摩擦部３１の非使用時、保護部材４のロッド部４１の頂部が、摩擦部３１の出没孔３２より外部に突出され、それにより、摩擦部３１が他の物品に接触することを回避する。摩擦部３１の使用時、被筆記面６と保護部材４の頂部とが接触し、被筆記面６により保護部材４が後方に押圧され、保護部材４が出没孔３２内に没入され、摩擦部３１を被筆記面６に押し当てて使用できる。それにより、摩擦操作前に、保護部材４を移動させる別の操作が不要となり、摩擦部３１を迅速に使用できる。
【００２４】
本実施の形態の熱変色性筆記具１は、前記本体２の前記摩擦部３１の近傍に保護部材４を設け、前記保護部材４が、軸方向に移動可能に設けられるとともに弾発体５により軸方向前方に常時付勢され、前記摩擦部３１の非使用時、前記保護部材４の頂部が前記摩擦部３１の頂部よりも軸方向前方に突出し、前記摩擦部３１の使用時、被筆記面６と前記保護部材４の頂部との接触により、前記保護部材４が軸方向後方に移動してなることにより、非使用時、ペンケース、ペン立て、または衣服のポケット等に収納して保管しても、保護部材４により摩擦部３１が、他の物品（例えば、他の筆記具外面、ペンケースの内面、ペン立ての底面、または衣服のポケット内面等）に接触することが回避され、非使用時に摩擦部３１が汚れることを防止できる。
【００２５】
本実施の形態の熱変色性筆記具１は、前記摩擦部３１に軸方向前方に開口する出没孔３２が設けられ、前記摩擦部３１の非使用時、前記出没孔３２から軸方向前方に前記保護部材４の頂部が突出し、前記摩擦部３１の使用時、前記出没孔３２内に前記保護部材４の頂部が没入してなることにより、摩擦部３１近傍の保護部材４を容易に設けることができる。
【００２６】
本実施の形態の熱変色性筆記具１は、前記保護部材４が、前記出没孔３２内を摺動し且つ該出没孔３２より前方に頂部が突出するロッド部４１と、該ロッド部４１の後端部外面より径方向外方に突出する凸部４２とを備え、前記出没孔３２の後方に該出没孔３２より大きい内径を有する収容孔３２を連設し、前記出没孔３２と前記収容孔３２との間に段部３４を形成し、前記収容孔３２内に前記弾発体５及び前記凸部４２が収容され、前記摩擦部３１の非使用時、前記段部３４に前記保護部材４の凸部４２が係止されることにより、保護部材４及び弾発体５を筒体の摩擦部３１側の端部に適正に配置することができる。
【００２７】
本実施の形態の熱変色性筆記具１は、前記保護部材４の頂部が凸曲面状であることにより、摩擦部３１の使用時、被筆記面６上をあらゆる方向に円滑に摺動させることができる。
【符号の説明】
【００２８】
１  熱変色性筆記具
２  本体
３  摩擦部材
３１  摩擦部
３２  出没孔
３３  収容孔
３４  段部
４  保護部材
４１  ロッド部
４２  凸部
５  弾発体
６  被筆記面
【図１】
2014193572.tif 000003
【図２】
2014193572.tif 000004